(57)【要約】【課題】電源投入直後の初期化輝点の発生を低減し、画像の表示品質を向上させることができるプラズマディスプレイパネルの駆動方法およびプラズマディスプレイ装置を提供する。【解決手段】初期化期間と書込み期間と維持期間とを有するサブフィールドを１フィールド期間内に複数設け、初期化期間において緩やかに上昇する傾斜波形電圧を走査電極に印加するサブフィールドを１フィールド期間に少なくとも１つ含むように構成し、プラズマディスプレイパネルの駆動を開始してから所定の期間、上記傾斜波形電圧の最大電圧を通常の駆動時における傾斜波形電圧の最大電圧以上の電圧にするとともに、各サブフィールドの維持パルス数を所定のパルス数以下にして駆動することを特徴とする。【選択図】図５
2008096803.tif 000002
【特許請求の範囲】
【請求項１】
走査電極と維持電極とからなる表示電極対とデータ電極とを有する放電セルを複数備えたプラズマディスプレイパネルの駆動方法であって、
初期化期間と書込み期間と維持期間とを有するサブフィールドを１フィールド期間内に複数設け、前記初期化期間において緩やかに上昇する傾斜波形電圧を前記走査電極に印加するサブフィールドを１フィールド期間に少なくとも１つ含むように構成し、
前記プラズマディスプレイパネルの駆動を開始してから所定の期間、前記傾斜波形電圧の最大電圧を通常の駆動時における前記傾斜波形電圧の最大電圧以上の電圧にするとともに、各サブフィールドの維持パルス数を所定のパルス数以下にして駆動することを特徴とするプラズマディスプレイパネルの駆動方法。
【請求項２】
前記所定の期間において、前記傾斜波形電圧の最大電圧を、通常の駆動時における前記傾斜波形電圧の最大電圧以上の電圧に一定期間維持した後、徐々に通常の駆動時における電圧まで下げるように制御することを特徴とする請求項１に記載のプラズマディスプレイパネルの駆動方法。
【請求項３】
前記所定の期間において、１フィールド期間内の維持パルスの総数が通常の駆動時における１フィールド期間内の維持パルスの総数以下となるように制御することを特徴とする請求項１に記載のプラズマディスプレイパネルの駆動方法。
【請求項４】
前記所定のパルス数を１０以下としたことを特徴とする請求項１に記載のプラズマディスプレイパネルの駆動方法。
【請求項５】
走査電極と維持電極とからなる表示電極対とデータ電極とを有する放電セルを複数備えたプラズマディスプレイパネルと、
初期化期間と書込み期間と維持期間とを有するサブフィールドを１フィールド期間内に複数設け、前記初期化期間に緩やかに上昇する傾斜波形電圧を前記走査電極に印加するサブフィールドを１フィールド期間に少なくとも１つ含むように構成するとともに、前記傾斜波形電圧の最大電圧を変更できるように構成し、かつ前記維持期間に維持パルスを発生して前記走査電極に印加するように構成した走査電極駆動回路と、
前記維持期間に維持パルスを発生して前記維持電極に印加するように構成した維持電極駆動回路とを備え、
前記プラズマディスプレイパネルの駆動を開始してから所定の期間において、前記走査電極駆動回路および前記維持電極駆動回路は、各サブフィールドの維持パルス数が所定の維持パルス数以下となるように構成し、前記走査電極駆動回路は前記傾斜波形電圧の最大電圧が通常の駆動時における前記傾斜波形電圧の最大電圧以上となるように構成したことを特徴とするプラズマディスプレイ装置。
【請求項６】
前記走査電極駆動回路は、前記所定の期間において、前記傾斜波形電圧の最大電圧を、通常の駆動時における前記傾斜波形電圧の最大電圧以上の電圧に一定期間維持した後、徐々に通常の駆動時における電圧まで下げるように構成したことを特徴とする請求項５に記載のプラズマディスプレイ装置。
【請求項７】
前記走査電極駆動回路および前記維持電極駆動回路は、前記所定の期間において、１フィールド期間内の維持パルスの総数を、通常の駆動時における１フィールド期間内の維持パルスの総数以下にして発生させるように構成したことを特徴とする請求項５に記載のプラズマディスプレイ装置。
【請求項８】
前記走査電極駆動回路および前記維持電極駆動回路は、前記所定の期間において、各サブフィールドの維持パルス数を１０以下にして発生させるように構成したことを特徴とする請求項５に記載のプラズマディスプレイ装置。
【発明の詳細な説明】
【技術分野】
【０００１】
本発明は、壁掛けテレビや大型モニターに用いられるプラズマディスプレイパネルの駆動方法およびプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００４】
各サブフィールドは、初期化期間、書込み期間および維持期間を有する。初期化期間では初期化放電を発生し、続く書込み動作に必要な壁電荷を各電極上に形成するとともに、書込み放電を安定して発生させるためのプライミング粒子（放電のための起爆剤＝励起粒子）を発生させる。初期化動作には、全ての放電セルで初期化放電を発生させる初期化動作（以下、「全セル初期化動作」と略記する）と、維持放電を行った放電セルで初期化放電を発生させる初期化動作（以下、「選択初期化動作」と略記する）とがある。
【０００５】
書込み期間では、表示を行うべき放電セルに選択的に書込みパルス電圧を印加して書込み放電を発生させ壁電荷を形成する（以下、この動作を「書込み」とも記す）。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００６】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた新規な駆動方法が開示されている。
【０００７】
具体的には、複数のサブフィールドのうち、１つのサブフィールドの初期化期間において全ての放電セルを放電させる全セル初期化動作を行い、他のサブフィールドの初期化期間においては維持放電を行った放電セルのみ初期化する選択初期化動作を行う。その結果、表示に関係のない発光は全セル初期化動作の放電に伴う発光のみとなりコントラストの高い画像表示が可能となる（例えば、特許文献１参照）。これにより、画像の表示に関係のない発光に依存して変化する黒表示領域の輝度（以下、「黒輝度」と略記する）は全セル初期化動作における微弱発光だけとなり、コントラストの高い画像表示が可能となる。
【０００８】
また、維持期間における消費電力を削減する目的で、インダクタを構成要素に含む共振回路を用いてそのインダクタと表示電極対間の電極間容量とをＬＣ共振させ、電極間容量に蓄えられた電荷を電力回収用のコンデンサに回収し、回収した電荷を表示電極対の駆動に再利用する電力回収回路が開示されている（例えば、特許文献２参照）。このような電力回収部を備えた維持パルス発生回路を用いることで維持期間における消費電力を削減することができる。
【特許文献１】特開２０００−２４２２２４号公報
【特許文献２】特公平７−１０９５４２号公報
【発明の開示】
【発明が解決しようとする課題】
【０００９】
プラズマディスプレイ装置では、非動作状態から動作状態に移行した直後、例えば電源投入直後は、画像信号を処理する回路や電源回路あるいは駆動回路等の各回路の動作が安定しておらず、そのため、正常でない画像が表示される恐れがある。したがって、電源投入直後から各回路における動作が安定するまでの数秒間、書込み動作を止める等して全面黒（以下、「映像ミュート」と記す）を表示させることが一般に行われている。
【００１０】
一方、電源投入直後のパネルにおいては、プライミング粒子が十分でないため初期化動作時に強放電を誘発してしまい、そのため書込みがなされていないにもかかわらず維持放電が生じて発光してしまう放電セル（以下、「初期化輝点」と呼称する）を生じさせる恐れがある。
【００１１】
特に、上述した映像ミュート期間では、パネルの画像表示面が全面黒となるため初期化輝点が認識されやすく、表示品質が劣化したように見えてしまうという問題があった。
【００１２】
本発明はこれらの課題に鑑みなされたものであり、電源投入直後の初期化輝点の発生を低減し、画像の表示品質を向上させることができるパネルの駆動方法およびプラズマディスプレイ装置を提供することを目的とする。
【課題を解決するための手段】
【００１３】
このような課題を解決するために本発明は、走査電極と維持電極とからなる表示電極対とデータ電極とを有する放電セルを複数備えたパネルの駆動方法であって、初期化期間と書込み期間と維持期間とを有するサブフィールドを１フィールド期間内に複数設け、初期化期間において緩やかに上昇する傾斜波形電圧を走査電極に印加するサブフィールドを１フィールド期間に少なくとも１つ含むように構成し、パネルの駆動を開始してから所定の期間、傾斜波形電圧の最大電圧を通常の駆動時における傾斜波形電圧の最大電圧以上の電圧にするとともに、各サブフィールドの維持パルス数を所定のパルス数以下にして駆動することを特徴とする。
【００１４】
この方法により、電源投入直後の初期化輝点の発生を低減し、画像の表示品質を向上させることができる。
【００１５】
また、本発明のパネルの駆動方法においては、上述の所定の期間において、傾斜波形電圧の最大電圧を、通常の駆動時における傾斜波形電圧の最大電圧以上の電圧に一定期間維持した後、徐々に通常の駆動時における電圧まで下げるように制御してもよい。この方法により、パネルの駆動開始直後の初期化期間における強放電の発生を低減して初期化輝点の発生を低減するとともに、傾斜波形電圧の最大電圧の変化による黒輝度の変化を緩やかにし、画像の表示品質をさらに向上させることが可能となる。
【００１６】
また、本発明のパネルの駆動方法においては、上述の所定の期間において、１フィールド期間内の維持パルスの総数が通常の駆動時における１フィールド期間内の維持パルスの総数以下となるように制御してもよい。
【００１７】
また、本発明のパネルの駆動方法において、上述した所定のパルス数は、１０以下であってもよい。
【００１８】
また、本発明のプラズマディスプレイ装置は、走査電極と維持電極とからなる表示電極対とデータ電極とを有する放電セルを複数備えたパネルと、初期化期間と書込み期間と維持期間とを有するサブフィールドを１フィールド期間内に複数設け、初期化期間に緩やかに上昇する傾斜波形電圧を走査電極に印加するサブフィールドを１フィールド期間に少なくとも１つ含むように構成するとともに、傾斜波形電圧の最大電圧を変更できるように構成し、かつ維持期間に維持パルスを発生して走査電極に印加するように構成した走査電極駆動回路と、維持期間に維持パルスを発生して維持電極に印加するように構成した維持電極駆動回路とを備え、上述のパネルの駆動を開始してから所定の期間において、走査電極駆動回路および維持電極駆動回路は、各サブフィールドの維持パルス数が所定の維持パルス数以下となるように構成し、走査電極駆動回路は傾斜波形電圧の最大電圧が通常の駆動時における傾斜波形電圧の最大電圧以上となるように構成したことを特徴とする。
【００１９】
この構成により、電源投入直後の初期化輝点の発生を低減し、画像の表示品質を向上させることが可能なプラズマディスプレイ装置を提供することができる。
【００２０】
また、本発明のプラズマディスプレイ装置において、走査電極駆動回路は、上述の所定の期間において、傾斜波形電圧の最大電圧を、通常の駆動時における傾斜波形電圧の最大電圧以上の電圧に一定期間維持した後、徐々に通常の駆動時における電圧まで下げるように構成してもよい。この構成により、パネルの駆動開始直後の初期化期間における強放電の発生を低減して初期化輝点の発生を低減するとともに、傾斜波形電圧の最大電圧の変化による黒輝度の変化を緩やかにし、画像の表示品質をさらに向上させることが可能なプラズマディスプレイ装置を提供することができる。
【００２１】
また、本発明のプラズマディスプレイ装置において、走査電極駆動回路および維持電極駆動回路は、上述の所定の期間において、１フィールド期間内の維持パルスの総数を、通常の駆動時における１フィールド期間内の維持パルスの総数以下にして発生させるように構成してもよい。
【００２２】
また、本発明のプラズマディスプレイ装置において、上述した所定のパルス数は１０以下であってもよい。
【発明の効果】
【００２３】
本発明によれば、電源投入直後の初期化輝点の発生を低減し、画像の表示品質を向上させることができるパネルの駆動方法およびプラズマディスプレイ装置を提供することが可能となる。
【発明を実施するための最良の形態】
【００２４】
以下、本発明の実施の形態におけるプラズマディスプレイ装置について、図面を用いて説明する。
【００２５】
（実施の形態）
図１は、本発明の実施の形態におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２６】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２７】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２８】
これら前面板２１と背面板３１とは、微小な放電空間を挟んで表示電極対２４とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２９】
なお、パネルの構造は上述したものに限られるわけではなく、例えばストライプ状の隔壁を備えたものであってもよい。
【００３０】
図２は、本発明の実施の形態におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。なお、図１、図２に示したように、走査電極ＳＣｉと維持電極ＳＵｉとは互いに平行に対をなして形成されているために、走査電極ＳＣ１〜ＳＣｎと維持電極ＳＵ１〜ＳＵｎとの間に大きな電極間容量Ｃｐが存在する。
【００３１】
図３は、本発明の一実施の形態におけるプラズマディスプレイ装置の回路ブロックの一例を示す図である。図３において、プラズマディスプレイ装置１は、上記で説明したパネル１０と、画像信号処理回路５１と、データ電極駆動回路５２と、走査電極駆動回路５３と、維持電極駆動回路５４と、タイミング発生回路５５と、電源回路６０と、制御回路７０とを備えている。
【００３２】
画像信号処理回路５１は、入力された画像信号ｓｉｇをサブフィールド毎の放電セルの発光または非発光を示す画像データに変換する。
【００３３】
タイミング発生回路５５は、水平同期信号ＨＤ、垂直同期信号ＶＤおよび制御回路７０内のオンオフ制御部７８の出力をもとにして各回路ブロックの動作を制御する各種のタイミング信号を発生し、それぞれの回路ブロックへ供給する。
【００３４】
データ電極駆動回路５２は、タイミング発生回路５５からのタイミング信号にもとづいて、サブフィールド毎の画像データを各データ電極Ｄ１〜Ｄｍに対応する信号に変換し各データ電極Ｄ１〜Ｄｍを駆動する。また、走査電極駆動回路５３は、タイミング発生回路５５からのタイミング信号にもとづいて駆動電圧波形を各走査電極ＳＣ１〜ＳＣｎにそれぞれ印加し、また維持電極駆動回路５４は、タイミング発生回路５５からのタイミング信号にもとづいて駆動電圧波形を維持電極ＳＵ１〜ＳＵｎに印加する。
【００３５】
電源回路６０は、商用ＡＣ１００（Ｖ）電源から電源回路６０に電力を供給するための主電源スイッチ６２と、パネル１０を駆動するための各回路ブロックに必要な電力を供給する駆動電源部６３と、制御回路７０を動作させるための電力を供給するスタンバイ電源部６４と、主電源スイッチ６２がオンであることを示す信号を出力する通電検出部６５とを備える。そして、主電源スイッチ６２をオンすることにより、スタンバイ電源部６４と通電検出部６５とが動作する。一方、駆動電源部６３のオン／オフは制御回路７０内の電源制御部７６により制御される。なお、図示していないが、駆動電源部６３から上記の各回路ブロックに駆動電圧が供給されるように構成されている。
【００３６】
制御回路７０は、マイクロコンピュータ等を用いてリモートコントロールスイッチ（以下、「リモコン」と略記する）８０の信号を受信しその信号をエンコードするリモコン制御部７２と、通電検出部６５およびリモコン制御部７２の出力にもとづきプラズマディスプレイ装置１のオン／オフを制御するオンオフ制御部７８と、駆動電源部６３のオン／オフを制御する電源制御部７６とを備える。
【００３７】
リモコン制御部７２は、リモコン受光部７３でリモコン８０からの信号を受信し、プラズマディスプレイ装置１の電源のオン／オフを制御するオン信号Ｃ１１を発生する。
【００３８】
オンオフ制御部７８は、リモコン８０でオン／オフを制御するオン信号Ｃ１１および主電源スイッチ６２がオンであることを示す主電源オン信号Ｃ１２にもとづき、タイミング発生回路５５の動作を制御するためのイネーブル信号Ｃ２１を発生する。そして詳細は後述するが、タイミング発生回路５５はイネーブル信号Ｃ２１にもとづき、プラズマディスプレイ装置１の電源オン（この電源オンは、オン信号Ｃ１１および主電源オン信号Ｃ１２がともにオンとなった時点を表す。また、以下、この電源オンを「電源投入」とも記す）直後から所定の期間は初期化輝点を低減するための動作を行う。また、オンオフ制御部７８は、駆動電源部６３のオン／オフを制御するイネーブル信号Ｃ２２を発生し電源制御部７６に出力する。
【００３９】
電源制御部７６は、イネーブル信号Ｃ２２にもとづき駆動電源部６３のオン／オフ制御を行う。加えて電源制御部７６は、プラズマディスプレイ装置１に何らかの異常が発生したことを示す非常停止信号Ｃ３０にもとづき駆動電源部６３をオフする。
【００４０】
次に、パネル１０を駆動するための駆動電圧波形とその動作について、図４を用いて説明する。図４は、本発明の一実施の形態におけるプラズマディスプレイ装置１の通常の駆動時における駆動電圧波形図である。図４には、２つのサブフィールドの駆動電圧波形、すなわち第１のサブフィールド（第１ＳＦ）および第２のサブフィールド（第２ＳＦ）の駆動電圧波形を示しているが、他のサブフィールドにおける駆動電圧波形もほぼ同様な形態である。また、ここでの通常の駆動時とは、画像信号にもとづきパネル１０の表示面に画像を表示する駆動期間のことである。
【００４１】
まず、本実施の形態におけるプラズマディスプレイ装置１は、パネル１０を駆動する方法としてサブフィールド法を用いている。これは、１フィールド期間を複数のサブフィールドに分割し、それぞれのサブフィールドで各放電セルの発光、非発光を制御することにより階調表示を行う方法である。そして、サブフィールドのそれぞれは、初期化期間、書込み期間および維持期間を有する。
【００４２】
初期化期間では放電セルで初期化放電を行い、続く書込み動作のために必要な壁電荷を形成する。加えて、放電遅れを小さくし書込み放電を安定して発生させるためのプライミング粒子（放電のための起爆剤＝励起粒子）を発生させる。書込み期間では、走査電極ＳＣ１〜ＳＣｎに順次走査パルスを印加するとともにデータ電極Ｄ１〜Ｄｍには表示すべき画像信号に対応した書込みパルスを印加して書込み放電を行い、選択的な壁電荷形成を行う。続く維持期間では発光させるべき表示輝度に応じた所定の回数の維持パルスを走査電極ＳＣ１〜ＳＣｎと維持電極ＳＵ１〜ＳＵｎとの間に印加し、書込み放電による壁電荷形成を行った放電セルを選択的に放電、発光させる。なお、このときの維持パルスの発生回数は、サブフィールド毎に定められた輝度重みに比例しており、このときの比例定数を輝度倍率と呼ぶ。
【００４３】
図４において、第１ＳＦの初期化期間前半部では、データ電極Ｄ１〜Ｄｍおよび維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧（以下、「上りランプ波形電圧」と呼称する）を印加する（以下、走査電極ＳＣ１〜ＳＣｎに印加する上りランプ波形電圧の最大値を「初期化電圧Ｖｉ２」として引用する。また、初期化電圧Ｖｉ２と電圧Ｖｉ１との差を、「Ｖｓｅｔ」と記す）。この上りランプ波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００４４】
初期化期間後半部では、維持電極ＳＵ１〜ＳＵｎに正の電圧Ｖｅ１を印加する。走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧（以下、「下りランプ波形電圧」と呼称する）を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。
【００４５】
以上により、初期化動作が終了する。なお、１フィールドを構成するサブフィールドのうちのいくつかのサブフィールドでは初期化期間の前半部を省略してもよく、その場合には、直前のサブフィールドで維持放電を行った放電セルに対して選択的に初期化動作が行われる。図４には、第１ＳＦの初期化期間では前半部および後半部を有する初期化動作、第２ＳＦ以降のサブフィールドの初期化期間では後半部のみを有する初期化動作を行う駆動電圧波形を示した。
【００４６】
ここで、本実施の形態においては、この初期化電圧Ｖｉ２の電圧として２つの異なる電圧を用いてパネル１０を駆動する構成としている。以下、電圧値の高い方をＶｉ２Ｈと記し、電圧値の低い方をＶｉ２Ｌと記す。そして、図４に示すように、通常画像を表示する場合は、初期化電圧Ｖｉ２を電圧値の低い方のＶｉ２Ｌとしている。
【００４７】
続く書込み期間では、維持電極ＳＵ１〜ＳＵｎに電圧Ｖｅ２を、走査電極ＳＣ１〜ＳＣｎに電圧Ｖｃを印加する。
【００４８】
まず、１行目の走査電極ＳＣ１に負の走査パルス電圧Ｖａを印加するとともに、データ電極Ｄ１〜Ｄｍのうち１行目に発光させるべき放電セルのデータ電極Ｄｋ（Ｄｋは、Ｄ１〜Ｄｍのうち画像データにもとづき選択されるデータ電極）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４９】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００５０】
続く維持期間では、維持電極ＳＵ１〜ＳＵｎに０（Ｖ）を印加するとともに走査電極ＳＣ１〜ＳＣｎに正の維持パルス電圧Ｖｓを印加する。すると書込み放電を起こした放電セルでは、走査電極ＳＣｉ上と維持電極ＳＵｉ上との電圧差は、維持パルス電圧Ｖｓに走査電極ＳＣｉ上の壁電圧と維持電極ＳＵｉ上の壁電圧との差が加算されたものとなり、放電開始電圧を超える。そして、走査電極ＳＣｉと維持電極ＳＵｉとの間に維持放電が起こり、このとき発生した紫外線により蛍光体層３５が発光する。
【００５１】
そしてこの放電により、走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００５２】
続いて、走査電極ＳＣ１〜ＳＣｎに０（Ｖ）を印加するとともに維持電極ＳＵ１〜ＳＵｎに正の維持パルス電圧Ｖｓを印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００５３】
以降同様に、走査電極ＳＣ１〜ＳＣｎと維持電極ＳＵ１〜ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００５４】
そして、維持期間の最後には、走査電極ＳＣ１〜ＳＣｎと維持電極ＳＵ１〜ＳＵｎとの間にいわゆる細幅パルス状の電位差を与えて、データ電極Ｄｋ上の正の壁電圧を残したまま、走査電極ＳＣｉおよび維持電極ＳＵｉ上の壁電圧を減らしている。こうして維持期間における維持動作が終了する。
【００５５】
なお、本実施の形態のおけるサブフィールド構成は、１フィールドを１０のサブフィールド（第１ＳＦ、第２ＳＦ、・・・、第１０ＳＦ）に分割し、各サブフィールドはそれぞれ、（１、２、３、６、１１、１８、３０、４４、６０、８０）の輝度重みを持つものとする。そして、第１ＳＦの初期化期間では全セル初期化動作を行い、第２ＳＦ〜第１０ＳＦの初期化期間では選択初期化動作を行うものとする。また各サブフィールドの維持期間においては、それぞれのサブフィールドの輝度重みに所定の輝度倍率を乗じた数の維持パルスが表示電極対２４のそれぞれに印加される。ただし、サブフィールド数や各サブフィールドの輝度重みが上記の値に限定されるものではなく、また、画像信号等にもとづいてサブフィールド構成を切換える構成であってもよい。
【００５６】
次に、プラズマディスプレイ装置１の電源がオンされた直後における駆動電圧波形とその動作について説明する。図５は、本発明の一実施の形態におけるプラズマディスプレイ装置１の電源投入直後における駆動電圧波形図であり、図６は、本発明の一実施の形態におけるプラズマディスプレイ装置１の電源投入後の初期化電圧Ｖｉ２の制御の概略を示す図である。なお、図６において、横軸はプラズマディスプレイ装置１の電源がオンされてからの経過時間を表し、縦軸は初期化電圧Ｖｉ２を表す。なお、ここでは、電源が投入されたことを表すイネーブル信号Ｃ２１がローからハイに変化した時点をプラズマディスプレイ装置１への電源オン時とする。また、本実施の形態では、電源オン時からの経過時間に応じて駆動を変えているが、これらの制御は、図３に示したタイミング発生回路５５が、オンオフ制御部７８から出力されるイネーブル信号Ｃ２１にもとづき、内部に有するタイマー（図示せず）を作動させて計時することで行っている。また、ここでは、時刻ｔ１を電源オン時から１秒後とし、時刻ｔ２を電源オン時から２秒後として示しているが、本実施の形態は何らこれらの数値に限定されるものではなく、パネル１０の特性やプラズマディスプレイ装置１の仕様等に応じて最適な数値に設定するものとする。また、計時用のタイマーは別途設ける構成であってもよく、プラズマディスプレイ装置の制御用に設けられたマイクロコンピューター(図示せず）等を利用して計時を行う構成であってもよい。
【００５７】
プラズマディスプレイ装置１では、プラズマディスプレイ装置１の電源がオンされた直後等の、非動作状態から動作状態に移行した直後は、画像信号を処理する回路や電源回路あるいは各駆動回路の動作が安定しておらず、そのため、入力された画像信号とは表示輝度や階調値の異なる正常でない画像が表示される恐れがある。したがって、本実施の形態では、プラズマディスプレイ装置１の電源をオンした直後から各回路における動作が安定するまでの数秒間（本実施の形態では、約２秒間、図６では、時刻ｔ０から時刻ｔ２までの期間）、書込み期間における書込み動作を止めて映像ミュートをかけ、全放電セルを非発光にして全面黒を表示させている。
【００５８】
一方、電源投入直後のパネル１０においては、プライミング粒子が十分でないため初期化放電が不安定になりやすい。初期化放電が不安定に発生してしまうと、初期化動作時に強放電を誘発してしまい、そのため書込みがなされていないにもかかわらず維持放電が生じて発光してしまう放電セル、すなわち初期化輝点が生じてしまう恐れがある。
【００５９】
特に、上述した映像ミュート期間では、パネル１０の画像表示面が全面黒となるため初期化輝点が認識されやすい。
【００６０】
そこで、本実施の形態では、図５および図６に示すように、プラズマディスプレイ装置１の電源がオンされパネル１０の駆動が開始されてから所定の期間（本実施の形態では約２秒間）、上りランプ波形電圧の最大電圧を、通常の駆動時における上りランプ波形電圧の最大電圧であるＶｉ２Ｌよりも高い電圧とする。具体的には、図６に示すように、プラズマディスプレイ装置１の電源がオンされる時刻ｔ０から時刻ｔ１までの期間（本実施の形態では約１秒間）、初期化電圧Ｖｉ２を電圧値の高い方のＶｉ２Ｈに維持する。
【００６１】
上述したように、電源投入直後のパネル１０においてはプライミング粒子が十分でないため上りランプ波形電圧の途中で強放電を発生させる恐れがある。しかし、上りランプ波形電圧の最大電圧をＶｉ２Ｌよりも高いＶｉ２Ｈとすることで、初期化動作の持続時間を通常の駆動時よりも長くすることができる。そのため、強放電発生後の初期化動作を通常の駆動時よりも長くすることができ、強放電によって形成された壁電荷を正常な壁電荷の状態に戻すことが可能となる。これにより、初期化輝点の発生を低減させることができる。
【００６２】
そして、その後、時刻ｔ１から時刻ｔ２にかけて（本実施の形態では約１秒間）、初期化電圧Ｖｉ２をＶｉ２ＨからＶｉ２Ｌに徐々に下げていく。これにより、初期化電圧Ｖｉ２の変化によって生じる黒輝度の変化を緩やかにし、画像の表示品質をさらに向上させることができる。そして、時刻ｔ２以降は、通常動作を行わせる。
【００６３】
さらに、本実施の形態では、上述した時刻ｔ０から時刻ｔ２までの期間は、１フィールド期間内の維持パルスの総数を通常の駆動時における１フィールド期間内の維持パルスの総数よりも少ない維持パルス数にする。具体的には、各サブフィールドにおける維持パルス数を所定のパルス数（本実施の形態では１０）以下にして発生させる構成とする。本実施の形態では、上述したように（第１ＳＦ、第２ＳＦ、・・・、第１０ＳＦ）の各サブフィールドはそれぞれ、（１、２、３、６、１１、１８、３０、４４、６０、８０）の輝度重みを持つが、時刻ｔ０から時刻ｔ２までの期間は、各サブフィールドにおける維持パルス数をそれぞれ（１、２、３、６、１０、１０、１０、１０、１０、１０）とする。なお、これらの維持パルス数の制御は、タイミング発生回路５５が、電源オン時からの経過時間や輝度倍率等に応じて行っているが、本実施の形態は何らこの構成に限定されるものではなく、維持パルス数を制御するための回路を別途設ける構成であってもよい。
【００６４】
上述した初期化輝点の発光輝度は１フィールド期間内の総維持パルス数に比例する。そのため、維持期間における維持パルスの数が少ないほど、初期化輝点は発光輝度が低くなる。
【００６５】
一方、維持期間における消費電力を削減する目的で、表示電極対２４間の負荷容量とインダクタとを共振させて電力を回収し維持パルスを発生させる、いわゆる電力回収回路を維持パルス発生回路に用いた場合、維持パルスが全く発生されないと、維持パルスの発生に必要な電力が電力回収回路に蓄積されない。その場合、通常動作に切換わった後も、電力回収回路に十分な電力が蓄積されるまでの間、維持動作が不安定になってしまう。
【００６６】
そこで、本実施の形態では、上述した時刻ｔ０から時刻ｔ２までの期間、各サブフィールドにおける維持パルス数を１０以下にすることで、初期化輝点の発光輝度を最低限に抑えるとともに、維持パルス発生回路に電力回収回路を用いた構成であっても、その間に電力回収回路に十分な電力を蓄積することができ、通常動作に切換わった直後から安定した維持動作を行わせることが可能となる。
【００６７】
以上説明したように、本実施の形態においては、プラズマディスプレイ装置１の電源がオンされてから所定の期間、上りランプ波形電圧の最大電圧を、通常画像を表示する通常の駆動時のＶｉ２Ｌよりも高い電圧とするとともに、その期間は、各サブフィールドにおける維持パルス数を所定のパルス数（ここでは、１０）以下にして発生させる構成とする。これにより、プラズマディスプレイ装置１の電源がオンされた直後のパネル１０の動作が安定していない期間における初期化輝点の発生を低減することができる。また、上りランプ波形電圧の最大電圧が変化するときに生じる黒輝度の変化を緩やかにし、かつ通常動作に切換わった直後から安定に維持パルスを発生させることができる。
【００６８】
次に、走査電極駆動回路５３の詳細とその動作について説明する。図７は、本発明の一実施の形態における走査電極駆動回路５３の回路図である。走査電極駆動回路５３は、維持パルスを発生させる維持パルス発生回路８１、初期化波形を発生させる初期化波形発生回路８２、走査パルスを発生させる走査パルス発生回路８３を備えている。
【００６９】
維持パルス発生回路８１は、電力回収回路８４とクランプ回路８５とを備えている。電力回収回路８４は、電力回収用のコンデンサＣ１、スイッチング素子Ｑ１、Ｑ２、逆流防止用のダイオードＤ１、Ｄ２、共振用のインダクタＬ１を有している。なお、電力回収用のコンデンサＣ１は電極間容量Ｃｐに比べて十分に大きい容量を持ち、電力回収回路８４の電源として働くように、電圧値Ｖｓの半分の約Ｖｓ／２に充電されている。クランプ回路８５は、走査電極ＳＣ１〜ＳＣｎを電圧Ｖｓにクランプするためのスイッチング素子Ｑ３、走査電極ＳＣ１〜ＳＣｎを０（Ｖ）にクランプするためのスイッチング素子Ｑ４を有している。さらに電圧源Ｖｓのインピーダンスを下げるための平滑コンデンサＣ２を有している。そして、タイミング発生回路５５から出力されるタイミング信号にもとづき維持パルス電圧Ｖｓを発生させる。
【００７０】
初期化波形発生回路８２は、スイッチング素子Ｑ５とコンデンサＣ４と抵抗Ｒ１とを有し所定の初期化電圧Ｖｉ２までランプ状に緩やかに上昇する上りランプ波形電圧を発生するミラー積分回路、スイッチング素子Ｑ６とコンデンサＣ５と抵抗Ｒ２とを有し電圧Ｖｉ４までランプ状に緩やかに低下する下りランプ波形電圧を発生するミラー積分回路、スイッチング素子Ｑ７を用いた分離回路およびスイッチング素子Ｑ８を用いた分離回路を備えている。そして、タイミング発生回路５５から出力されるタイミング信号にもとづき上述した初期化波形を発生させるとともに、全セル初期化動作における初期化電圧Ｖｉ２の制御を行う。なお、図７には、ミラー積分回路のそれぞれの入力端子を入力端子ＩＮａ、入力端子ＩＮｂとして示している。
【００７１】
走査パルス発生回路８３は、走査電極ＳＣ１〜ＳＣｎのそれぞれに走査パルス電圧を出力するスイッチ回路ＯＵＴ１〜ＯＵＴｎと、スイッチ回路ＯＵＴ１〜ＯＵＴｎの低電圧側を電圧Ｖａにクランプするためのスイッチング素子Ｑ９と、電圧Ｖａに電圧Ｖｓｃｎを重畳した電圧Ｖｃをスイッチ回路ＯＵＴ１〜ＯＵＴｎの高電圧側に印加するためのダイオードＤ４およびコンデンサＣ６とを備えている。そしてスイッチ回路ＯＵＴ１〜ＯＵＴｎのそれぞれは、電圧Ｖｃを出力するためのスイッチング素子ＱＨ１〜ＱＨｎと電圧Ｖａを出力するためのスイッチング素子ＱＬ１〜ＱＬｎとを備えている。そして、タイミング発生回路５５から出力されるタイミング信号にもとづき、書込み期間において走査電極ＳＣ１〜ＳＣｎに印加する走査パルス電圧Ｖａを順次発生させる。
【００７２】
ここで、スイッチング素子Ｑ３、Ｑ４、Ｑ７、Ｑ８には非常に大きな電流が流れるため、これらのスイッチング素子にはＦＥＴ、ＩＧＢＴ等を複数並列接続してインピーダンスを低下させている。
【００７３】
なお、本実施の形態では、初期化波形発生回路８２に、実用的であり比較的構成が簡単なＦＥＴを用いたミラー積分回路を採用しているが、何らこの構成に限定されるものではなく、上りランプ波形電圧および下りランプ波形電圧を発生することができる回路であればどのような回路であってもよい。
【００７４】
なお、図示はしていないが、維持電極駆動回路５４の維持パルス発生回路は維持パルス発生回路８１と同様の構成であり、維持電極ＳＵ１〜ＳＵｎを駆動するときの電力を回収して再利用するための電力回収回路と、維持電極ＳＵ１〜ＳＵｎを電圧Ｖｓにクランプするためのスイッチング素子と、維持電極ＳＵ１〜ＳＵｎを０（Ｖ）にクランプするためのスイッチング素子とを有し、タイミング発生回路５５から出力されるタイミング信号にもとづき維持パルス電圧Ｖｓを発生させる。
【００７５】
次に、初期化波形発生回路８２の動作と初期化電圧Ｖｉ２を制御する方法について、図面を用いて説明する。まず、図８を用いて初期化電圧Ｖｉ２をＶｉ２Ｌにする場合の動作（通常動作）を説明し、次に、図９を用いて初期化電圧Ｖｉ２をＶｉ２Ｈにする場合の動作（電源オン直後の動作）を説明する。なお、初期化電圧Ｖｉ２の制御は全セル初期化動作時に行うため、図８、図９では全セル初期化動作時の駆動電圧波形を例にして説明する。
【００７６】
また、図８、図９では、全セル初期化動作を行う駆動電圧波形を期間Ｔ１〜期間Ｔ５で示した５つの期間に分割し、それぞれの期間について説明する。また、電圧Ｖｉ１、電圧Ｖｉ３は電圧Ｖｓに等しいものとし、電圧Ｖｉ２Ｈは電圧Ｖｒに等しいものとし、電圧Ｖｉ４は負の電圧Ｖａに等しいものとして説明する。また、以下の説明においてスイッチング素子を導通させる動作をオン、遮断させる動作をオフと表記し、図面にはスイッチング素子をオンさせる信号を「Ｈｉ」、オフさせる信号を「Ｌｏ」と表記する。
【００７７】
図８は、本発明の一実施の形態における通常動作時の全セル初期化期間の走査電極駆動回路５３の動作を説明するためのタイミングチャートである。なお、走査パルス発生回路８３からは、初期化波形発生回路８２の駆動電圧波形がそのまま出力される。
【００７８】
（期間Ｔ１）
まず、維持パルス発生回路８１のスイッチング素子Ｑ１をオンにする。すると、電極間容量ＣｐとインダクタＬ１とが共振し、電力回収用のコンデンサＣ１からスイッチング素子Ｑ１、ダイオードＤ１、インダクタＬ１を通して走査電極２２の電圧が上がり始める。
【００７９】
（期間Ｔ２）
次に、維持パルス発生回路８１のスイッチング素子Ｑ３をオンにする。するとスイッチング素子Ｑ３を介して走査電極２２に電圧Ｖｓが印加され、走査電極２２の電位は電圧Ｖｓ（本実施の形態では、電圧Ｖｉ１と等しい）となる。
【００８０】
（期間Ｔ３）
次に、上りランプ波形電圧を発生するミラー積分回路の入力端子ＩＮａを「Ｈｉ」にする。具体的には入力端子ＩＮａに、例えば電圧１５（Ｖ）を印加する。すると、抵抗Ｒ１からコンデンサＣ４に向かって一定の電流が流れ、スイッチング素子Ｑ５のソース電圧がランプ状に上昇し、走査電極駆動回路５３の出力電圧もランプ状に上昇し始める。
【００８１】
そして、この出力電圧の上昇が電圧Ｖｉ２Ｌに至るまで、入力端子ＩＮａを「Ｈｉ」に維持する。このようにして、放電開始電圧以下となる電圧Ｖｓ（本実施の形態では、電圧Ｖｉ１と等しい）から、放電開始電圧を超える電圧Ｖｉ２Ｌに向かって緩やかに上昇する上りランプ波形電圧を走査電極２２に印加する。
【００８２】
出力電圧が電圧Ｖｉ２Ｌに達したら（図面中、時刻ｔ３）、入力端子ＩＮａを「Ｌｏ」にする。具体的には入力端子ＩＮａに、例えば電圧０（Ｖ）を印加する。これにより、走査電極２２の電圧は電圧Ｖｓ（本実施の形態では、電圧Ｖｉ３と等しい）まで低下する。
【００８３】
（期間Ｔ４）
走査電極２２の電圧が電圧Ｖｓまで低下したら、その後、スイッチング素子Ｑ３をオフにする。
【００８４】
（期間Ｔ５）
次に、下りランプ波形電圧を発生するミラー積分回路の入力端子ＩＮｂを「Ｈｉ」にする。具体的には入力端子ＩＮｂに、例えば電圧１５（Ｖ）を印加する。すると、抵抗Ｒ２からコンデンサＣ５に向かって一定の電流が流れ、スイッチング素子Ｑ６のドレイン電圧がランプ状に下降し、走査電極駆動回路５３の出力電圧もランプ状に下降し始める。そして、出力電圧が所定の負の電圧Ｖｉ４に至った後、入力端子ＩＮｂを「Ｌｏ」とする。具体的には入力端子ＩＮｂに、例えば電圧０（Ｖ）を印加する。
【００８５】
以上のようにして、走査電極駆動回路５３は、走査電極２２に対して、放電開始電圧以下となる電圧Ｖｉ１から放電開始電圧を超える初期化電圧Ｖｉ２に向かって緩やかに上昇する上りランプ波形電圧を印加し、その後、電圧Ｖｉ３から電圧Ｖｉ４に向かって緩やかに下降する下りランプ波形電圧を印加する。
【００８６】
次に、図９を用いて初期化電圧Ｖｉ２をＶｉ２Ｈにする場合の動作を説明する。図９は、本発明の一実施の形態における電源をオンした直後の全セル初期化期間の走査電極駆動回路５３の動作を説明するためのタイミングチャートである。なお、図９において、期間Ｔ１、Ｔ２、Ｔ４、Ｔ５の動作は図８に示した期間Ｔ１、Ｔ２、Ｔ４、Ｔ５の動作と同様であるので、ここでは、図８に示した期間Ｔ３と動作の異なる期間Ｔ３’について説明する。
【００８７】
（期間Ｔ３’）
期間Ｔ３’では、上りランプ波形電圧を発生するミラー積分回路の入力端子ＩＮａを「Ｈｉ」にする。すると、抵抗Ｒ１からコンデンサＣ４に向かって一定の電流が流れ、スイッチング素子Ｑ５のソース電圧がランプ状に上昇し、走査電極駆動回路５３の出力電圧もランプ状に上昇し始める。そしてこの電圧上昇は、入力端子ＩＮａが「Ｈｉ」の間継続する。
【００８８】
そして、図９に示す電源オン直後の駆動では、この出力電圧の上昇が電圧Ｖｉ２Ｈに至るまで、入力端子ＩＮａを「Ｈｉ」に維持する。
【００８９】
このようにして、初期化電圧Ｖｉ２を通常動作時のＶｉ２Ｌよりも高いＶｉ２Ｈにした上りランプ波形電圧を発生させ、走査電極２２に印加する。これにより、電源投入直後の動作の不安定なパネル１０において、安定した初期化動作を行わせ、初期化輝点の発生を低減させることができる。
【００９０】
出力電圧が電圧Ｖｉ２Ｈに達したら、入力端子ＩＮａを「Ｌｏ」にする。具体的には入力端子ＩＮａに、例えば電圧０（Ｖ）を印加する。これにより、走査電極２２の電圧は電圧Ｖｓ（本実施の形態では、電圧Ｖｉ３と等しい）まで低下する。以降の動作は図８と同様であるので省略する。
【００９１】
なお、初期化電圧Ｖｉ２をＶｉ２ＨからＶｉ２Ｌに下げる際（図６における、時刻ｔ１から時刻ｔ２までの期間）には、入力端子ＩＮａを「Ｈｉ」に継続する時間を時刻ｔ３まで徐々に短縮させていく。これにより、初期化電圧Ｖｉ２の電圧をＶｉ２ＨからＶｉ２Ｌまで徐々に低下させることができる。
【００９２】
このように、走査電極駆動回路５３を図７に示したような回路構成とすることで、上りランプ波形電圧を発生するミラー積分回路の入力端子ＩＮａを「Ｈｉ」に維持する期間を制御するだけで、緩やかに上昇する上りランプ波形電圧の最大電圧、すなわち初期化電圧Ｖｉ２の電圧値を簡単に制御することが可能になる。
【００９３】
なお、初期化電圧Ｖｉ２を変化させるには、ここで説明した以外にも様々な方法が考えられる。例えば、初期化波形発生回路に複数の電源を備え、上りランプ波形電圧を発生させる際にそれらの電源を切換えることで最大電圧を変更する構成としてもよい。あるいは、電圧Ｖｉ１から初期化電圧Ｖｉ２へ上昇する傾斜の傾きを制御して初期化電圧Ｖｉ２を高くしたり低くしたりすること等も考えられる。そして、本実施の形態においては、初期化電圧Ｖｉ２を変化させる方法を何ら上述した方法に限定するものではなく、他のどのような方法であってもかまわない。
【００９４】
なお、本実施の形態では、プラズマディスプレイ装置１の電源をオンにした直後の初期化電圧Ｖｉ２をＶｉ２Ｈに維持する期間（図６の時刻ｔ０から時刻ｔ１まで）を約１秒、初期化電圧Ｖｉ２をＶｉ２ＨからＶｉ２Ｌに変更するまでの時間（図６の時刻ｔ１から時刻ｔ２まで）を約１秒とし、初期化電圧Ｖｉ２と電圧Ｖｉ１との差であるＶｓｅｔを、Ｖｉ２Ｈのときには２６０（Ｖ）、Ｖｉ２Ｌのときには２２０（Ｖ）としているが、これらの数値は表示電極対数７６８、表示画面サイズ４２インチのパネルの特性にもとづき設定した一例に過ぎず、本実施の形態は何らこれらの数値に限定されるものではない。上述した各数値は、パネルの特性やプラズマディスプレイ装置の仕様等に合わせて最適な値にすることが望ましい。
【００９５】
また、本実施の形態では、時刻ｔ０から時刻ｔ２まで映像ミュートをかける構成を説明したが、何らこの構成に限定されるものではない。図１０は、本発明の一実施の形態におけるプラズマディスプレイ装置の電源投入後の制御の他の例を示す図である。例えば、図１０に示すように、適宜、時刻ｔ２以降の時刻ｔ２’まで映像ミュートを延長してかける構成であってもかまわない。なお、図１０は図６と同様に、電源が投入されたことを表すイネーブル信号Ｃ２１がローからハイに変化した時点をプラズマディスプレイ装置１への電源オン時とし、タイミング発生回路５５が、オンオフ制御部７８から出力されるイネーブル信号Ｃ２１にもとづき、内部に有するタイマー（図示せず）を作動させることで計時し、駆動を制御している。また、ここでは、時刻ｔ１を電源オン時から１秒後とし、時刻ｔ２を電源オン時から２秒後とし、時刻ｔ２’を電源オン時から３秒後として示しているが、本実施の形態は何らこれらの数値に限定されるものではなく、パネル１０の特性やプラズマディスプレイ装置１の仕様等に応じて最適な数値に設定するものとする。
【００９６】
また、本実施の形態では、時刻ｔ０から時刻ｔ２までの期間、各サブフィールドの維持パルス数が所定の数（１０）以下となるように制御する構成を説明したが、この数値は本実施の形態で使用したパネルの特性にもとづき設定した一例に過ぎない。初期化輝点の発光輝度を抑えるためには、維持パルス数はできるだけ少ない方が望ましいため、維持パルス発生回路における電力回収回路の動作や時刻ｔ０から時刻ｔ２までの長さ等に応じて、最適な数値に設定すればよい。ただし、表示画像の明るさに応じて輝度倍率を変更するような構成の場合、輝度倍率が下がることで維持パルス数も少なくなるが、時刻ｔ０から時刻ｔ２の期間においては、通常状態における最も小さい輝度倍率のときの維持パルス数よりもさらに少ない維持パルス数とする。
【００９７】
また、本実施の形態では、時刻ｔ０から時刻ｔ２までの期間、各サブフィールドの維持パルス数が所定のパルス数以下となるように制御する構成を説明したが、何らこの構成に限定されるものではなく、例えば、時刻ｔ０から時刻ｔ１までは維持パルスを発生させず、時刻ｔ１から時刻ｔ２においては各サブフィールドの維持パルス数を所定のパルス数以下とする構成としてもよい。これらの構成は、パネルの特性やプラズマディスプレイ装置の仕様等に合わせて最適に設定することが望ましい。
【００９８】
また、本実施の形態においては、通常の駆動時であってかつ映像表示面に全面黒を表示する場合に、各サブフィールドの維持パルス数を、通常の画像表示時におけるよりも大幅に減らして駆動するような駆動方法を用いる場合には、その維持パルス数と、時刻ｔ０から時刻ｔ２までの期間における維持パルス数とを等しくして駆動してもよい。あるいは、電力回収回路における回収コンデンサに十分な電力を蓄積する目的で、その維持パルス数よりも、時刻ｔ０から時刻ｔ２までの期間における維持パルス数を多くして駆動してもかまわない。
【００９９】
また、本実施の形態においては、通常の駆動時にパネルの状態や表示画像に応じて初期化電圧Ｖｉ２を変更するような駆動方法を用いる場合には、その変更範囲における最大電圧とＶｉ２Ｈとを等しくして駆動してもよい。
【０１００】
また、本実施の形態では、第１ＳＦを全セル初期化動作を行うサブフィールドとし、第２ＳＦ〜第１０ＳＦを選択初期化動作を行うサブフィールドとする構成を説明したが、これは一例を示したに過ぎず、何らこのサブフィールド構成に限定されるものではない。図１１は、本発明の一実施の形態の他のサブフィールド構成における駆動の一例を示す概略図であり、図（ａ）は電源をオンした直後の走査電極に印加される駆動電圧波形を示し、図（ｂ）は通常動作時の走査電極に印加される駆動電圧波形を示す。例えば、図１１に示すように、第２ＳＦにおいて全セル初期化動作を行わせるようなサブフィールド構成の場合においても、上述と同様の駆動を行うことで、同様の効果を得ることができる。なお、図１１（ａ）では、各サブフィールドにおける維持パルス数を、上述と同様にそれぞれ（１、２、３、６、１０、１０、１０、１０、１０、１０）として示している。また、これら以外のサブフィールド構成においても、そのサブフィールド構成に合わせて最適な制御にすればよい。
【０１０１】
また、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【０１０２】
本発明は、電源投入直後の初期化輝点の発生を低減し、画像の表示品質を向上させることができるので、パネルの駆動方法およびプラズマディスプレイ装置として有用である。
【図面の簡単な説明】
【０１０３】
【図１】本発明の実施の形態におけるパネルの構造を示す分解斜視図
【図２】同パネルの電極配列図
【図３】本発明の一実施の形態におけるプラズマディスプレイ装置の回路ブロックの一例を示す図
【図４】同プラズマディスプレイ装置の通常の駆動時における駆動電圧波形図
【図５】同プラズマディスプレイ装置の電源投入直後における駆動電圧波形図
【図６】同プラズマディスプレイ装置の電源投入後の初期化電圧Ｖｉ２の制御の概略を示す図
【図７】本発明の一実施の形態における走査電極駆動回路の回路図
【図８】本発明の一実施の形態における通常動作時の全セル初期化期間の走査電極駆動回路の動作を説明するためのタイミングチャート
【図９】本発明の一実施の形態における電源をオンした直後の全セル初期化期間の走査電極駆動回路の動作を説明するためのタイミングチャート
【図１０】本発明の一実施の形態におけるプラズマディスプレイ装置の電源投入後の制御の他の例を示す図
【図１１】本発明の一実施の形態の他のサブフィールド構成における駆動の一例を示す概略図
【符号の説明】
【０１０４】
１    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
５１    画像信号処理回路
５２    データ電極駆動回路
５３    走査電極駆動回路
５４    維持電極駆動回路
５５    タイミング発生回路
６０    電源回路
６２    主電源スイッチ
６３    駆動電源部
６４    スタンバイ電源部
６５    通電検出部
７０    制御回路
７２    リモコン制御部
７３    リモコン受光部
７６    電源制御部
７８    オンオフ制御部
８０    リモコン
８１    維持パルス発生回路
８２    初期化波形発生回路
８３    走査パルス発生回路
８４    電力回収回路
８５    クランプ回路
Ｑ１，Ｑ２，Ｑ３，Ｑ４，Ｑ５，Ｑ６，Ｑ７，Ｑ８，Ｑ９，ＱＨ１〜ＱＨｎ，ＱＬ１〜ＱＬｎ    スイッチング素子
Ｃ１，Ｃ２，Ｃ３，Ｃ４，Ｃ５，Ｃ６    コンデンサ
Ｒ１，Ｒ２    抵抗
ＩＮａ，ＩＮｂ    入力端子
Ｄ１，Ｄ２，Ｄ３，Ｄ４    ダイオード
Ｌ１    インダクタ
【図１】
2008096803.tif 000003
【図２】
2008096803.tif 000004
【図３】
2008096803.tif 000005
【図４】
2008096803.tif 000006
【図５】
2008096803.tif 000007
【図６】
2008096803.tif 000008
【図７】
2008096803.tif 000009
【図８】
2008096803.tif 000010
【図９】
2008096803.tif 000011
【図１０】
2008096803.tif 000012
【図１１】
2008096803.tif 000013